(57)【要約】      （修正有）【課題】ホース保護筒の組み立て取り付けが不要である洗濯機用風呂水給水ホースを提供する。【解決手段】風呂水給水ポンプ付洗濯機の本体に接続される接続継ぎ手基部５と、前記接続継ぎ手基部５につながり長く延び、螺旋状に巻かれた螺旋補強部材１３が施されているホース部４０と、前記ホース部４０の先端に設けられる吸い込み口としての給水ユニットを有する洗濯機用風呂水給水ホース４において、前記接続継ぎ手基部５は、前記ホース部４０の内周が螺合する螺旋突起を外周に設けたホースねじ込み接続部１２と、前記ホースねじ込み接続部に螺合接続された前記ホース部４０の接続部分を外周側から囲うホース保護筒１５を有し、前記ホース保護筒１５が前記接続継ぎ手基部５と一体に形成される。【選択図】図５
2008167914.tif 000002
【特許請求の範囲】
【請求項１】
風呂水給水ポンプ付洗濯機の本体に接続される接続継ぎ手基部と、前記接続継ぎ手基部につながり長く延び、螺旋状に巻かれた螺旋補強部材が施されているホース部と、前記ホース部の先端に設けられる吸い込み口としての給水ユニットを有する洗濯機用風呂水給水ホースにおいて、
前記接続継ぎ手基部は、前記ホース部の内周が螺合する螺旋突起を外周に設けたホースねじ込み接続部と、前記ホースねじ込み接続部に螺合接続された前記ホース部の接続部分を外周側から囲うホース保護筒を有し、
前記ホース保護筒が前記接続継ぎ手基部と一体に形成されていることを特徴とする洗濯機用風呂水給水ホース。
【請求項２】
請求項１記載の洗濯機用風呂水給水ホースにおいて、
前記ホース保護筒に前記ホース部の接続部分が覗ける覗き窓を設けたことを特徴とする洗濯機用風呂水給水ホース。
【請求項３】
請求項２記載の洗濯機用風呂水給水ホースにおいて、
前記覗き窓を周囲に複数個設けたことを特徴とする洗濯機用風呂水給水ホース。
【請求項４】
請求項２記載の洗濯機用風呂水給水ホースにおいて、
前記覗き窓が前記ホースねじ込み接続部の付け根側に位置することを特徴とする洗濯機用風呂水給水ホース。
【請求項５】
請求項１記載の洗濯機用風呂水給水ホースにおいて、
前記ホースねじ込み接続部は、前記ホース保護筒の先端側よりも外側に突き出すように延びた接着剤塗布部を有することを特徴とする洗濯機用風呂水給水ホース。
【請求項６】
請求項１記載の洗濯機用風呂水給水ホースにおいて、
前記ホース保護筒の内周側と前記ホースねじ込み接続部の外周側が回転離型方式の成形金型で形成されることを特徴とする洗濯機用風呂水給水ホース。
【請求項７】
請求項１記載の洗濯機用風呂水給水ホースにおいて、
前記接続継ぎ手基部は、風呂水給水ポンプに着脱自在に接続する給水ポンプ接続部を有することを特徴とする洗濯機用風呂水給水ホース。
【請求項８】
請求項７記載の洗濯機用風呂水給水ホースにおいて、
前記接続継ぎ手基部は、係止レバーを有することを特徴とする洗濯機用風呂水給水ホース。
【発明の詳細な説明】
【技術分野】
【０００１】
本発明は風呂水を利用する風呂水給水ポンプを内蔵した洗濯機に係り、特に風呂水給水ポンプに接続するための洗濯機用風呂水給水ホースの改良に関する。
【背景技術】
【０００２】
近年の洗濯機においては、節水あるいは洗浄率の向上を目的に水道水を供給する給水口と風呂水を利用するための風呂水給水ポンプを装備した洗濯機が主流になりつつある。
【０００３】
風呂水給水ポンプに使用される洗濯機用風呂水給水ホースは、例えば、特許文献１に示されている。
【０００４】
風呂水を利用する場合には洗濯機本体側に備えた風呂水給水ポンプと浴槽間を風呂水給水ホースにて接続するものであり、原理上、風呂水給水ポンプにて風呂水給水ホース内を真空化して風呂水を吸い上げるよう構成されたものである。
【０００５】
【特許文献１】特開平１１−１７９０９２号公報
【発明の開示】
【発明が解決しようとする課題】
【０００６】
しかしながら、洗濯機用風呂水給水ホースの接続継ぎ手基部は、洗濯機を使用する毎の取外し、あるいは操作時のホースと接続継ぎ手部に加わるねじり、曲げ等の外力の影響を受ける。このため、ホースと接続継ぎ手基部に隙間が発生し、ホース内に空気が進入するのでホース内の真空化を保持できず、風呂水給水の機能を損なう。
【０００７】
そこで、接続継ぎ手基部に接続されたホース部の接続部分を外周側から囲うホース保護筒を設けて隙間の発生を抑えるようにしている。しかし、ホース保護筒を取り付ける作業が厄介である。
【０００８】
本発明は、上記の問題に鑑み、ホース保護筒の組み立て取り付けが不要である洗濯機用風呂水給水ホースを提供することを目的とする。
【課題を解決するための手段】
【０００９】
本発明は、風呂水給水ポンプ付洗濯機の本体に接続される接続継ぎ手基部と、前記接続継ぎ手基部につながり長く延び、螺旋状に巻かれた螺旋補強部材が施されているホース部と、前記ホース部の先端に設けられる吸い込み口としての給水ユニットを有する洗濯機用風呂水給水ホースにおいて、前記接続継ぎ手基部は、前記ホース部の内周が螺合する螺旋突起を外周に設けたホースねじ込み接続部と、前記ホースねじ込み接続部に螺合接続された前記ホース部の接続部分を外周側から囲うホース保護筒を有し、前記ホース保護筒が前記接続継ぎ手基部と一体に形成されていることを特徴とする。
【発明の効果】
【００１０】
本発明によれば、洗濯機用風呂水給水ホースの先端の接続継ぎ手基部に一体的に形成されたホース保護筒により、ホース部に取付け、取外し時の外力が抑えることができる。このため、途中で気密性が損なわれることもなく安価で安定した品質の洗濯機用風呂水給水ホースを提供できる。
【発明を実施するための最良の形態】
【００１１】
以下、本発明の実施例を図面に基づき説明する。
【００１２】
図１は本発明の実施例である洗濯機の風呂水給水の使用状態図を示すものである。
【００１３】
洗濯機本体１の上部トップカバー２には、水道水を供給する給水口（図示せず）の他に浴槽１０に残った風呂水１１を吸い上げる風呂水給水ポンプ２２が備わる。
【００１４】
風呂水給水ポンプ２２は、風呂水給水接続口３を有する。
【００１５】
洗濯機用風呂水給水ホース４は、接続継ぎ手基部５と、接続継ぎ手基部５につながり長く延びるホース部４０と、ホース部４０の先端に設けられる吸い込み口としての給水ユニット９を有する。
【００１６】
洗濯機用風呂水給水ホース４は、接続継ぎ手基部５の先端側が風呂水給水ポンプ２２の風呂水給水接続口３に着脱自在に接続される。
【００１７】
ここで、風呂水１１の利用について、図２および図３を加えて説明する。
【００１８】
図２および図３に示す如く、前記風呂水給水口３に洗濯機用風呂水給水ホース４の接続継ぎ手基部５を挿入接続する。
【００１９】
この接続継ぎ手基部５の凹部６にはOリング７を装着し風呂水給水口３との気密を封止すると共に係止レバー８を接続継ぎ手基部５に設けて洗濯機用風呂水給水ホース４の抜け止め固定を図っている。
【００２０】
また、洗濯機用風呂水給水ホース４の他の一方には給水ユニット９を接続し、浴槽１０の風呂水１１内に沈み込ませる。こうして、トップカバー２内に設けた風呂水給水ポンプ２２により風呂水１１の給水可能状態となる。
【００２１】
顧客の洗濯条件セット状態により水道水、風呂水１１の給水切換えを電磁弁により行い洗濯槽内に注水するよう構成されている。
【００２２】
次に本発明の主要部である洗濯機用風呂水給水ホース４について詳しく説明する。
【００２３】
本発明の実施例である図４、図５、および比較参考用の図６、図７、図８を引用して説明する。
【００２４】
図４、図５に示すように、洗濯機用風呂水給水ホース４のホース部４０は、風呂水給水ホース４の外周に熱溶着され、螺旋状に巻かれた螺旋状補強部材１３を有する。
【００２５】
接続継ぎ手基部５はホースねじ込み接続部１２を有する。ホースねじ込み接続部１２は外周に螺旋突起１４を有する。ホース部４０は、ホースねじ込み接続部１２の外周にねじ込まれる。
【００２６】
ホース部４０の螺旋状補強部材１３とホースねじ込み接続部１２の螺旋突起１４は、螺旋のピッチが同じに形成されているので、ホース部４０がホースねじ込み接続部１２に確実にねじ込まれる。
【００２７】
更に接続継ぎ手基部５は、ホースねじ込み接続部１２の外周にはホース部４０の外径よりも大きい内径をもつホース保護筒１５が一体に形成される。ホース保護筒１５は、接続継ぎ手基部５、ホースねじ込み接続部１２と同じ合成樹脂の素材で形成される。
【００２８】
このホース保護筒１５の内径は、ホース部４０の螺旋状補強部材１３の外径に対応した最適ギャップになる。
【００２９】
この最適ギャップであるホース保護筒１５により、洗濯機を使用する毎の取外し、あるいは操作時のホース部４０と接続継ぎ手基部５に加わるねじり、曲げ等の外力の影響を抑える。これにより、ホース部４０とホースねじ込み接続部１２の間に生じる隙間の発生を抑えることができる。
【００３０】
また、ホース保護筒１５は接続継ぎ手基部５と一体に成形されているので、ホース部４０を接続した後にホース保護筒１５の取り付けが不要であり、組み立てがし易い。
【００３１】
さらに、ホースねじ込み接続部１２の外周に設けた螺旋凸部１４や前記ホース保護筒の内周側を回転離型方式の成形金型で形成する。これにより、パーティングラインもなく気密性に優れ真空度を維持できるように構成できるものである。
【００３２】
ここで、ホース保護筒１５とホースねじ込み接続部１２の長さ寸法関係について述べる。
【００３３】
図５、図４はホース部４０と接続継ぎ手基部５の組立を示している。
【００３４】
ホース部４０をホースねじ込み接続部１２にねじ込み挿入前にホースねじ込み接続部１２のホース保護筒１５とラップしない部分の全周に接着剤１６を手動または自動機で塗布できるように接着剤塗布部１７を形成できるようにしたものである。
【００３５】
つまり、ホースねじ込み接続部１２は、ホース保護筒１５の先端側よりも外側に突き出すように延びた接着剤塗布部１７を有する。
【００３６】
このため、接着剤１６の塗布がし易いとともに過不足なく接着剤１６が施されるので、ホース部４０の良好なる接続が提供できる。
【００３７】
また、ホース部４０のホースねじ込み接続部１２の挿入奥部（付け根側）にはホース部４０の先端部のホースねじ込み接続部１２と接着剤１６がホース部４０の先端部まで回り込んでいることを確認するための覗き窓１８が設けられている。
【００３８】
この覗き窓１８よりホース部４０のねじ込みが直にみることができるので、ホース部の接続組み立てが解消不良される。
【００３９】
この確認用の覗き窓１８は周囲に複数個設けても確認目的を達成するために支障ないことは言うまでもない。
【００４０】
図６、図７、図８は、本発明の実施例との比較参考用に挙げたものである。
【００４１】
図６に示すように、ホースねじ込み接続部１２に接着剤１６を塗布し、ホース部４０をねじ込み挿入する。洗濯機用風呂水給水ホース４の洗濯機への取付け、取外し等に加わる外力により洗濯機用風呂水給水ホース４のホースねじ込み接続部１２がその外力の影響を受けてホースねじ込み接続部１２の気密性が不完全になる。そこに、外部空気が進入し真空度が下がり、風呂水給水ポンプ２２による風呂水１１の吸い上げができなくなるという問題があった。
【００４２】
上記外力の影響を受けにくくするために、図８の如く保護スリーブ１９を別体で設け、図７の組込み状態のようにホース部４０をねじ込み挿入する。その後、そのねじ込み挿入部の周囲を覆うように保護スリーブ１９を配置する。
【００４３】
保護スリーブ１９の長手方向に設けたスリーブ固着ビード２０とホース固着ビード２１を超音波溶着により固着するように洗濯機用風呂水給水ホース４は構成されている。
【００４４】
この構成によれば、保護スリーブ１９により操作時の外力の影響は比較的受けにくくなるものの保護スリーブ１９が接続継ぎ手基部５とはいずれにしても別体部品であるため風呂水給水ホース４と一緒に揺動してしまう恐れがある。
【００４５】
また、別体の保護スリーブ１９が必要で更に超音波溶着作業が伴い価格的に高価になってしまうという問題がある。
【００４６】
上述した図６、図７、図８に示す比較参考例の問題は、本発明の実施例により先に述べたように解決される。
【図面の簡単な説明】
【００４７】
【図１】洗濯機の風呂水給水の使用状態図。
【図２】本発明の風呂水給水ホースと洗濯機の接続部。
【図３】接続部の要部詳細図。
【図４】本発明の接続継ぎ手断面図。
【図５】本発明の実施例における組込み状態図。
【図６】風呂水給水ホースの従来例。
【図７】風呂水給水ホースの他の従来例。
【図８】他の従来例に使用の部品詳細図。
【符号の説明】
【００４８】
２２…風呂水給水ポンプ、４…風呂水給水ホース、５…接続継ぎ手、１５…ホース保護筒、１８…覗き窓、１２…ホース挿入部、１７…接着剤塗布部、１４…螺旋凸部。
【図１】
2008167914.tif 000003
【図２】
2008167914.tif 000004
【図３】
2008167914.tif 000005
【図４】
2008167914.tif 000006
【図５】
2008167914.tif 000007
【図６】
2008167914.tif 000008
【図７】
2008167914.tif 000009
【図８】
2008167914.tif 000010